(57)【要約】【課題】  本発明は、データを平衡伝送する部分に適用されて、コンピュータと周辺機器との接続に使用される平衡伝送用コネクタ及び平衡伝送用コネクタ付きケーブルに関し、平衡伝送用ケーブルにより減衰された信号の波形を減衰する前の信号の波形に整形させて、平衡伝送用コネクタ間の信号の信頼性を向上させることのできる平衡伝送用コネクタ及び平衡伝送用コネクタ付きケーブルを提供することを目的とする。【解決手段】  一対の信号を受信する一対の受信用配線パターン６３Ａ，７３Ａに、ＣＲ型イコライザ回路素子を設けた構成とする。【選択図】  図５
2005235516.tif 000002
【特許請求の範囲】
【請求項１】
基板本体の一方の面に設けられ、平衡伝送用ケーブルのプラス用信号線と接続されることによりプラス信号を受信する第１の受信用配線パターンと、前記基板本体の他方の面に設けられ、前記平衡伝送用ケーブルのマイナス用信号線と接続されることによりマイナス信号を受信する第２の受信用配線パターンとにより構成された受信用配線パターン対を備えた中継基板と、
平衡伝送用コネクタ本体とを有し、
前記受信用配線パターン対を介して、前記平衡伝送用コネクタ本体と前記平衡伝送用ケーブルとの間に前記プラス信号又はマイナス信号を伝送する平衡伝送用コネクタにおいて、
前記受信用配線パターン対の途中には、イコライザ回路を設けたことを特徴とする平衡伝送用コネクタ。
【請求項２】
前記第１及び第２の受信用配線パターンには、それぞれ配線切断領域が設けられており、
前記イコライザ回路は、前記第１及び第２の受信用配線パターンを電気的に接続するように前記配線切断領域に設けられていることを特徴とする請求項１に記載の平衡伝送用コネクタ。
【請求項３】
前記第１及び第２の受信用配線パターンの前記配線切断領域には、それぞれ一対の端部が形成され、
前記一対の端部には、一対の接続部が設けられており、
該一対の接続部の前記プラス信号又はマイナス信号の進行方向に対して直交する方向の幅は、前記第１及び第２の受信用配線パターンの幅よりも広く構成されていることを特徴とする請求項１または２に記載の平衡伝送用コネクタ。
【請求項４】
前記イコライザ回路は、抵抗素子とコンデンサ素子とを有しており、
前記抵抗素子とコンデンサ素子とは、並列するよう前記一対の接続部に設けられていることを特徴とする請求項１乃至３のいずれか１項に記載の平衡伝送用コネクタ。
【請求項５】
第１の受信用配線パターンは、該第１の受信用配線パターンから分岐した第１の分岐配線を有し、
前記第２の受信用配線パターンは、該第２の受信用配線パターンから分岐した第２の分岐配線を有しており、
前記第１の分岐配線には、インダクタンス素子を設け、
前記第２の分岐配線には、抵抗素子を設け、
前記中継基板には、前記第１の分岐配線と第２の分岐配線とを電気的に接続するスルーホール電極を設けたことを特徴とする請求項１乃至４のいずれか１項に記載の平衡伝送用コネクタ。
【請求項６】
前記第１の分岐配線は、第１の配線切断領域を有し、
前記第２の分岐配線は、第２の配線切断領域を有しており、
前記インダクタンス素子は、前記第１の分岐配線を電気的に接続するよう前記第１の配線切断領域に設け、
前記抵抗素子は、前記第２の分岐配線を電気的に接続するよう前記第２の配線切断領域に設けたことを特徴とする請求項１乃至５のいずれか１項に記載の平衡伝送用コネクタ。
【請求項７】
平衡伝送用ケーブルと、
該平衡伝送用ケーブルの両端に、請求項１乃至６のいずれか一項に記載の平衡伝送用コネクタを設けたことを特徴とする平衡伝送用コネクタ付きケーブル。
【発明の詳細な説明】
【技術分野】
【０００１】
本発明は、平衡伝送用コネクタ及び平衡伝送用コネクタ付きケーブルに係り、特にデータを平衡伝送する部分に適用されて、コンピュータと周辺機器との接続に使用される平衡伝送用コネクタ及び平衡伝送用コネクタ付きケーブルに関する。
【背景技術】
【０００２】
パーソナルコンピュータと周辺機器間を接続する際には、ケーブルの両端にコネクタを有するケーブル付きコネクタが使用され、ケーブルの端のコネクタをパーソナルコンピュータ及び周辺機器に接続することによって、パーソナルコンピュータと周辺機器との間で、データが伝送される。
【０００３】
データの伝送の方式としては、データごとに一本の電線を使用する通常の伝送方式と、データごとに対をなす二本の電線を使用して、伝送すべきプラス信号とこのプラス信号とは大きさが等しく逆向きのマイナス信号とを同時に伝送すると平衡伝送方式がある。平衡伝送方式は、通常の伝送方式に比べてノイズの影響を受けにくいという利点を有しており、多く採用されつつある。
【０００４】
図１は、従来技術である平衡伝送用コネクタ付きケーブルの平面図であり、図２は、図１に示した平衡伝送用コネクタ付きケーブルの裏面側を示した図である。なお、図１乃至図２において、図中の左側に位置する平衡伝送用コネクタ４０Ａの構成には符号Ａを付し、右側に位置する平衡伝送用コネクタ４０Ｂの構成には符号Ｂを付して、主に平衡伝送用コネクタ４０Ａについて説明する。また、図１乃至図２に示した矢印はプラス信号又はマイナス信号の進行方向を示している。
【０００５】
図１乃至図２に示すように、平衡伝送用コネクタ付きケーブル１０は、大略すると平衡伝送用コネクタ４０Ａ，４０Ｂと、複数の平衡伝送用ケーブル３０とにより構成されている。平衡伝送用コネクタ４０Ａは、平衡伝送用コネクタ本体１１Ａと、中継基板２０Ａにより構成されており、平衡伝送用コネクタ４０Ｂは、平衡伝送用コネクタ本体１１Ｂと、中継基板２０Ｂにより構成されている。
【０００６】
中継基板２０Ａの表面には、グランドパッド２１Ａと、複数の配線パターン２２Ａとが形成されており、中継基板２０Ａの裏面には、グランドパッド２４Ａと、複数の配線パターン２５Ａとが形成されている。配線パターン２２Ａ，２５Ａは、一対の配線パターン２２Ａ，２５Ａであり、一対の信号（プラス信号とマイナス信号）を送受信するためのものである。この一対の配線パターン２２Ａ，２５Ａにより、平衡伝送用コネクタ本体１１Ａと複数の平衡伝送用ケーブル３０とは電気的に接続される。
【０００７】
平衡伝送用コネクタ本体１１Ａは、グランドコンタクト１２Ａと、信号用コンタクト１３Ａ，１５Ａとを有している。グランドコンタクト１２Ａは、板状に形成されており、グランドパッド２１Ａ，２４Ａに接続される。また、信号用コンタクト１３Ａは、配線パターン２２Ａに接続され、信号用コンタクト１５Ａは、配線パターン２５Ａに接続される。
【０００８】
平衡伝送用ケーブル３０は、ドレイン線３１と、プラス用信号線３２と、マイナス用信号線３３とを有している。ドレイン線３１は、グランドパッド２１Ａに接続されており、プラス用信号線３２は、配線パターン２２Ａに接続され、マイナス用信号線３３は、配線パターン２５Ａに接続されている。なお、平衡伝送用コネクタ４０Ｂも平衡伝送用コネクタ４０Ａと同様な構成とされている。このような構成とされた平衡伝送用コネクタ本体１１Ａ，１１Ｂは、中継基板２０Ａ又は中継基板２０Ｂを介して複数の平衡伝送用ケーブル３０と信号の送信及び受信が可能なように接続されている（例えば、特許文献１参照。）。
【特許文献１】特開２００３−１０９７０８号公報
【発明の開示】
【発明が解決しようとする課題】
【０００９】
しかしながら、平衡伝送用ケーブル３０の長さＬ１は、接続対象物であるパーソナルコンピュータと周辺機器との位置関係により、長くせざるを得ない場合がある。このような場合には、一方の平衡伝送用コネクタ（送信側）から送信された矩形の一対の信号（プラス信号及びマイナス信号）が平衡伝送用ケーブル３０を通過する間に減衰して、他方の平衡伝送用コネクタ（受信側）が受信するプラス信号及びマイナス信号の波形がなまってしまい、一対の信号の信頼性が低下するという問題があった。
【００１０】
そこで、本発明は上記の点に鑑みてなされたものであり、平衡伝送用ケーブルにより減衰された信号の波形を減衰する前の信号の波形に整形させて、平衡伝送用コネクタ間の信号の信頼性を向上させることのできる平衡伝送用コネクタ及び平衡伝送用コネクタ付きケーブルを提供することを目的とする。
【課題を解決するための手段】
【００１１】
上記課題を解決するために本発明では、次に述べる各手段を講じたことを特徴とするものである。
【００１２】
請求項１記載の発明では、基板本体の一方の面に設けられ、平衡伝送用ケーブルのプラス用信号線と接続されることによりプラス信号を受信する第１の受信用配線パターンと、前記基板本体の他方の面に設けられ、前記平衡伝送用ケーブルのマイナス用信号線と接続されることによりマイナス信号を受信する第２の受信用配線パターンとにより構成された受信用配線パターン対を備えた中継基板と、平衡伝送用コネクタ本体とを有し、前記受信用配線パターン対を介して、前記平衡伝送用コネクタ本体と前記平衡伝送用ケーブルとの間に前記プラス信号又はマイナス信号を伝送する平衡伝送用コネクタにおいて、前記受信用配線パターン対の途中には、イコライザ回路を設けたことを特徴とする平衡伝送用コネクタにより、解決できる。
【００１３】
上記発明によれば、平衡伝送用ケーブルにより減衰された信号の波形を減衰する前の信号の波形に整形させることができる。これにより、平衡伝送用コネクタ間の信号の信頼性を向上させることのでき、従来よりも長さの長い平衡伝送用ケーブルを適用することができる。
【発明の効果】
【００１４】
本発明は、平衡伝送用ケーブルにより減衰された信号の波形を、減衰する前の信号の波形に整形させて、平衡伝送用コネクタ間で受信する信号の信頼性を向上させることができ、従来よりも長さの長い平衡伝送用ケーブルを用いることのできる平衡伝送用コネクタ及び平衡伝送用コネクタ付きケーブルを提供することができる。
【発明を実施するための最良の形態】
【００１５】
次に、図面に基づいて本発明の実施例を説明する。
【００１６】
（第１実施例）
図３乃至図５を参照して、本発明の第１実施例による平衡伝送用コネクタ付きケーブル５０について説明する。図３は、本発明の第１実施例による平衡伝送用コネクタ付きケーブルの平面図であり、図４は、本発明の第１実施例による平衡伝送用コネクタ付きケーブルの裏側を示した図である。なお、図３乃至図４において、図中の左側に位置する平衡伝送用コネクタ４５Ａの構成には符号Ａを付し、右側に位置する平衡伝送用コネクタ４５Ｂの構成には符号Ｂを付して、主に平衡伝送用コネクタ４５Ａについて説明する。また、同図中に示した矢印はプラス信号又はマイナス信号の進行方向を示している。図５は、図３に示した平衡伝送用コネクタ付きケーブルをＦ視した図である。
【００１７】
平衡伝送用コネクタ付きケーブル５０は、大略すると平衡伝送用コネクタ４５Ａ，４５Ｂと、複数（本実施例の場合、６本）の平衡伝送用ケーブル８０とにより構成されている。平衡伝送用コネクタ４５Ａは、平衡伝送用コネクタ本体５１Ａと、中継基板６０Ａにより構成されており、平衡伝送用コネクタ４５Ｂは、平衡伝送用コネクタ本体５１Ｂと、中継基板６０Ｂにより構成されている。
【００１８】
始めに、平衡伝送用ケーブル８０について説明する。平衡伝送用ケーブル８０は、ドレイン線８１と、プラス用信号線８２と、マイナス用信号線８３とにより構成されている。プラス用信号線８２及びマイナス用信号線８３は、一対の信号（プラス信号とマイナス信号）を伝送するためのものである。平衡伝送用ケーブル８０の長さＬ２は、用途に応じて適宜選択され、本実施例では通常よりも長く、例えば５ｍに設定されている。平衡伝送用ケーブル８０は、平衡伝送用コネクタ４５Ａと平衡伝送用コネクタ４５Ｂとの間を接続するためのものである。ドレイン線８１の一方の端部は、グランドパッド６２Ａに接続され、他方の端部は、グランドパッド６２Ｂに接続されている。
【００１９】
プラス用信号線８２には、受信用配線パターン６３Ａ（ケーブル側配線部６３−２Ａ）と送信用配線パターン６７Ｂとに接続されたものと、送信用配線パターン６７Ａと受信用配線パターン６３Ｂ（ケーブル側配線部６３−２Ｂ）とに接続されたものとがある。マイナス用信号線８３には、受信用配線パターン７３Ａ（ケーブル側配線部７３−２Ａ）と送信用配線パターン７７Ｂと接続されたものと、送信用配線パターン７７Ａと受信用配線パターン７３Ｂ（ケーブル側配線部７３−２Ｂ）と接続されたものとがある。
【００２０】
次に、平衡伝送用コネクタ本体５１Ａについて説明する。平衡伝送用コネクタ本体５１Ａは、グランドコンタクト５３Ａと、信号用コンタクト５４Ａ，５６Ａとを備えた構成とされている。平衡伝送用コネクタ本体５１Ａの表面側には、グランドコンタクト５３Ａと信号用コンタクト５４Ａとが交互に複数（本実施例の場合、６個づつ）形成されており、平衡伝送用コネクタ本体５１Ａの裏面側には、グランドコンタクト５３Ａと信号用コンタクト５６Ａとが交互に複数（本実施例の場合、６個づつ）形成されている。グランドコンタクト５３Ａは、板状に形成されている。
【００２１】
グランドコンタクト５３Ａは、グランドパッド６２Ａ，７２Ａに接続されている。また、信号用コンタクト５４Ａは、コネクタ側配線部６３−１Ａに接続され、信号用コンタクト５６Ａは、コネクタ側配線部７３−１Ａに接続されている。これにより、平衡伝送用コネクタ５１Ａと中継基板６０Ａとが電気的に接続される。
【００２２】
中継基板６０Ａは、基板本体６１Ａと、受信用配線パターン６３Ａ，７３Ａと、送信用配線パターン６７Ａ，７７Ａと、グランドパッド６２Ａ，７２Ａと、絶縁部６４Ａ，７４Ａと、ＣＲ型イコライザ回路１００Ａとにより構成されている。
第１の受信用配線パターンである受信用配線パターン６３Ａと、第２の受信用配線パターンである受信用配線パターン７３Ａとにより、受信用配線パターン対が構成されている。この受信用配線パターン対により、一対の信号（プラス信号とマイナス信号）が受信される。ＣＲ型イコライザ回路１００Ａは、抵抗素子であるチップ抵抗６５Ａ，７５Ａと、コンデンサ素子であるチップコンデンサ６６Ａ，７６Ａとにより構成とされている（図７参照）。
【００２３】
基板本体６１Ａの表面には、グランドパッド６２Ａが形成されており、グランドパッド６２Ａ内には６つの絶縁部６４Ａが形成されている。図３の上方の３つの絶縁部６４Ａ内には、受信用配線パターン６３Ａがそれぞれ形成されており、図３の下方の３つの絶縁部６４Ａ内には、送信用配線パターン６７Ａがそれぞれ形成されている。
【００２４】
基板本体６１Ａの裏面には、グランドパッド７２Ａが形成されており、グランドパッド７２Ａ内には６つの絶縁部７４Ａが形成されている。図４の下方の３つの絶縁部７４Ａ内には、受信用配線パターン７３Ａがそれぞれ形成されており、図４の上方の３つの絶縁部６４Ａ内には、送信用配線パターン７７Ａがそれぞれ形成されている。
【００２５】
次に、図６を参照して、受信用配線パターン６３Ａについて説明する。図６は、チップ抵抗及びチップコンデンサが実装される前の中継基板の表面を示した図である。
【００２６】
受信用配線パターン６３Ａは、コネクタ側配線部６３−１Ａと、ケーブル側配線部６３−２Ａとにより構成されている。コネクタ側配線部６３−１Ａは、信号用コンタクト５４Ａを接続するためのものであり、ケーブル側配線部６３−２Ａは、プラス用信号線８２を接続するためのものである。コネクタ側配線部６３−１Ａとケーブル側配線部６３−２Ａとの間には、配線切断領域８５Ａが形成されており、これにより、コネクタ側配線部６３−１Ａとケーブル側配線部６３−２Ａとの間は電気的に接続されていない構成とされている。
【００２７】
コネクタ側配線部６３−１Ａの端部には、接続部８７Ａが設けられており、コネクタ側配線部６３−１Ａの端部と対向するケーブル側配線部６３−２Ａの端部には、接続部８９Ａが設けられている。接続部８７Ａ，８９Ａ（一対の接続部）は、チップ抵抗６５Ａと、チップコンデンサ６６Ａとを並列に実装するためのものであり、チップ抵抗６５Ａとチップコンデンサ６６Ａとを実装することで、コネクタ側配線部６３−１Ａとケーブル側配線部６３−２Ａとの間が電気的に接続される。
【００２８】
なお、受信用配線パターン６３Ｂには、チップ抵抗６５Ｂとチップコンデンサ６６Ｂとが並列に実装されており、受信用配線パターン７３Ｂには、チップ抵抗７５Ｂとチップコンデンサ７６Ｂとが並列に実装されている。
【００２９】
図７は、本実施例のＣＲ型イコライザ回路の回路図である。上記説明したＣＲ型イコライザ回路１００Ａの構成を回路図で示すと、図７のようになる。
【００３０】
このように、ＣＲ型イコライザ回路１００Ａを配線パターン対６３Ａ，７３Ａに設けることにより、平衡伝送用ケーブル８０を通過する間に減衰される一対の信号の形状を減衰される以前の一対の信号の形状に整形することができる。これにより、長さＬ２の長い、例えば５ｍ〜１０ｍの長さの平衡伝送用ケーブル８０を用いて、平衡伝送用コネクタ４５Ａと平衡伝送用コネクタ４５Ｂとの間の一対の信号の伝送を精度良く行なうことができる。
【００３１】
接続部８７Ａの幅Ｗ２は、接続部８７Ａを除く、他のコネクタ側配線部６３−１Ａの幅Ｗ１よりも広くなるように構成されており、接続部８９Ａの幅Ｗ３は、接続部８９Ａを除く、他のコネクタ側配線部６３−２Ａの幅Ｗ４よりも広くなるように構成されている。このように、接続部８７Ａ，８９Ａの幅Ｗ２，Ｗ３を広く構成することにより、チップ抵抗６５Ａとチップコンデンサ６６Ａとを接続部８７Ａ，８９Ａに対して、容易に実装することができる。
【００３２】
なお、一対の受信用配線パターン６３Ｂ，７３Ｂについても、抵抗素子６５Ｂ，７５Ｂとコンデンサ素子６６Ｂ、７６Ｂとにより構成されたＣＲ型イコライザ回路が実装されている。また、平衡伝送用ケーブル８０の長さに応じて、抵抗素子６５Ａ，６５Ｂ，７５Ａ，７５Ｂの定数と、コンデンサ素子６６Ａ，６６Ｂ、７６Ａ，７６Ｂの定数は適宜選択される。一般的には、平衡伝送用ケーブル８０の長さＬ２が長い場合には、定数の大きな抵抗素子６５Ａ，６５Ｂ，７５Ａ，７５Ｂを用い、コンデンサ素子６６Ａ，６６Ｂ、７６Ａ，７６Ｂには定数の小さいものを用いると良い。
【００３３】
以上説明したように、一対の受信用配線パターンに対して、ＣＲ型イコライザ回路を設けた構成とすることにより、一対の受信用配線パターンが、平衡伝送用ケーブル８０を介して受信する一対の信号を、減衰する以前の一対の信号の波形に整形して、平衡伝送用コネクタ４５Ａと平衡伝送用コネクタ４５Ｂとの間で受信する一対の信号の信頼性を向上させることができる。
【００３４】
なお、本実施例では双方向に信号を送信する場合の平衡伝送用コネクタ付きケーブル５０を例に挙げて説明を行ったが、本実施例は、一方向に信号を送信する平衡伝送用コネクタ付きケーブルに対しても適用可能であり、同様な効果を得ることができる。
【００３５】
（第２実施例）
図８乃至図９を参照して、本発明の第２実施例による平衡伝送用コネクタ付きケーブル１２０について説明する。図８は、本発明の第２実施例による平衡伝送用コネクタ付きケーブルの平面図であり、図９は、第２実施例による平衡伝送用コネクタ付きケーブルの裏面側を示した図である。なお、図８において、図３と同一構成部分には同一符号を付す。また、図９において、図４と同一構成部分には同一符号を付す。第２実施例は、第１実施例の変形例であり、本実施例では第１実施例と構成の異なる部分について主に説明する。
【００３６】
平衡伝送用コネクタ付きケーブル１２０は、大略すると平衡伝送用コネクタ１５０Ａ，１５０Ｂと、複数（本実施例の場合、６本）の平衡伝送用ケーブル８０とにより構成されている。平衡伝送用コネクタ１５０Ａは、平衡伝送用コネクタ本体５１Ａと、中継基板１２５Ａにより構成されており、平衡伝送用コネクタ１５０Ｂは、平衡伝送用コネクタ本体５１Ｂと、中継基板１２５Ｂにより構成されている。
【００３７】
中継基板１２５Ａは、大略すると基板本体６１Ａと、受信用配線パターン１３０Ａ，１４０Ａと、送信用配線パターン６７Ａ，７７Ａと、グランドパッド６２Ａ，７２Ａと、絶縁部６４Ａ，７４Ａと、ＬＣＲ型イコライザ回路１２６Ａとにより構成されている。受信用配線パターン１３０Ａと受信用配線パターン１４０Ａとにより一対の受信用配線パターン１３０Ａ，１４０Ａが構成されている。ＬＣＲ型イコライザ回路１２６Ａは、この一対の受信用配線パターン１３０Ａ，１４０Ａに設けられている。また、ＬＣＲ型イコライザ回路１２６Ａは、チップ抵抗６５Ａ，７５Ａ，１３７Ａと、チップコンデンサ６６Ａ，７６Ａと、チップインダクタンス１２７Ａとにより構成されている。
【００３８】
次に、図１０を参照して、基板本体６１Ａの表面側に設けられた受信用配線パターン１３０Ａについて説明する。図１０は、各種チップが実装される前の中継基板の表面を示した図である。
【００３９】
受信用配線パターン１３０Ａは、第１の受信用配線パターンである。受信用配線パターン１３０Ａは、ケーブル側配線部６３−２Ａと、コネクタ側配線部６３−１Ａと、第１の分岐配線１３１Ａとにより構成されている。チップ抵抗６５Ａ及びチップコンデンサ６６Ａは、ケーブル側配線部６３−２Ａとコネクタ側配線部６３−１Ａとの間を電気的に接続するように実装されている。
【００４０】
第１の分岐配線１３１Ａは、分岐配線部１４２−１Ａと、電極接続用配線部１４２−２Ａとにより構成されている。分岐配線部１４２−１Ａと電極接続用配線部１４２−２Ａとの間には、第１の配線切断領域１７０Ａが形成されている。分岐配線部１４２−１Ａは、コネクタ側配線部６３−１Ａから分岐された配線であり、分岐配線部１４２−１Ａの端部には、接続部１４５が設けられている。
【００４１】
電極接続用配線部１４２−２Ａは、スルーホール電極１２８Ａと接続するための配線であり、スルーホール電極１２８Ａと接続されていない側の端部には、接続部１４６が設けられている。接続部１４５，１４６は、チップインダクタンス１２７Ａを実装するためのものである。チップインダクタンス１２７Ａは、図８に示すように、接続部１４５と接続部１４６との間を電気的に接続するように実装される。
【００４２】
次に、図１１を参照して、基板本体６１Ａの裏面側に設けられた受信用配線パターン１４０Ａについて説明する。図１１は、各種チップが実装される前の中継基板の裏面を示した図である。
【００４３】
受信用配線パターン１４０Ａは、第２の受信用配線パターンである。受信用配線パターン１４０Ａは、ケーブル側配線部７３−２Ａと、コネクタ側配線部７３−１Ａと、第２の分岐配線１４１Ａとにより構成されている。チップ抵抗７５Ａ及びチップコンデンサ７６Ａは、ケーブル側配線部７３−２Ａとコネクタ側配線部７３−１Ａとの間を電気的に接続するように実装されている。
【００４４】
第２の分岐配線１４１Ａは、分岐配線部１５２−１Ａと、電極接続用配線部１５２−２Ａとにより構成されている。分岐配線部１５２−１Ａと電極接続用配線部１５２−２Ａとの間には、第２の配線切断領域１７１Ａが形成されている。分岐配線部１５２−１Ａは、コネクタ側配線部７３−１Ａから分岐された配線であり、分岐配線部１５２−１Ａの端部には、接続部１４８が設けられている。
【００４５】
電極接続用配線部１５２−２Ａは、スルーホール電極１２８Ａと接続するための配線であり、スルーホール電極１２８Ａと接続されていない側の端部には、接続部１４９が設けられている。接続部１４８，１４９は、チップ抵抗１３７Ａを実装するためのものである。図９に示すように、チップ抵抗１３７Ａは、接続部１４５と接続部１４６との間を電気的に接続するように実装される。
【００４６】
図１２は、図１０中に示した中継基板のＥ―Ｅ線方向の断面図である。図１２に示すように、中継基板６１Ａの内部には、中継基板６１Ａを貫通するスルーホール電極１２８Ａが形成されている。このスルーホール電極１２８Ａは、電極接続用配線部１５２−２Ａと電極接続用配線部１４２−２Ａとの間を電気的に接続するためのものである。
【００４７】
図１３は、本実施例のＬＣＲ型イコライザ回路の回路図である。上記説明した構成のＬＣＲ型イコライザ回路１２６Ａを回路図で示すと図１３のようになる。
【００４８】
このように、一対の受信用配線パターン１３０Ａ，１４０ＡにＬＣＲ型イコライザ回路１２６Ａを設けて、スルーホール電極１２８Ａにより受信用配線パターン１３０Ａと受信用配線パターン１４０Ａとの間を電気的に接続することにより、平衡伝送用ケーブル８０を通過し、減衰した一対の信号の波形を減衰する前の信号の波形に精度良く整形することができる。
【００４９】
なお、中継基板６１Ｂに設けられた一対の受信用配線パターン１３０Ｂ，１４０Ｂについても、チップ抵抗６５Ｂ，７５Ｂ，１３７Ｂと、コンデンサ６６Ｂ，７６Ｂと、チップインダクタンス１２７Ｂとにより構成されたＬＣＲ型イコライザ回路が実装されており、受信用配線パターン１３０Ｂと受信用配線パターン１４０Ｂとの間は、スルーホール電極１２８Ｂにより電気的に接続されている。
【００５０】
以上説明したような構成とすることにより、一対の受信用配線パターンが、平衡伝送用ケーブル８０を介して受信する一対の信号を、減衰する以前の一対の信号の波形に精度良く整形して、平衡伝送用コネクタ１５０Ａと平衡伝送用コネクタ１５０Ｂとの間で受信する信号の信頼性をさらに向上させることができる。
【００５１】
なお、本実施例では双方向に信号を送信する場合の平衡伝送用コネクタ付きケーブル１２０を例に挙げて説明を行ったが、本実施例は、一方向に信号を送信する平衡伝送用コネクタ付きケーブルに対しても適用可能であり、同様な効果を得ることができる。
【００５２】
以上、本発明の好ましい実施例について詳述したが、本発明はかかる特定の実施形態に限定されるものではなく、特許請求の範囲内に記載された本発明の要旨の範囲内において、種々の変形・変更が可能である。なお、受信用配線パターンが、基板本体６１Ａ，６１Ｂの内部に形成されている場合には、受信用配線パターンに接続された一対のスルーホール電極を基板本体６１Ａ，６１Ｂの表面又は裏面まで形成し、一対のスルーホール電極を接続するようにして、ＬＣＲ型イコライザ回路を設けることができ、上記実施例と同様な効果を得ることができる。
【産業上の利用可能性】
【００５３】
本発明は、平衡伝送用ケーブルにより減衰された信号の波形を、減衰する前の信号の波形に整形させて、平衡伝送用コネクタ間で受信する信号の信頼性を向上させることのできる平衡伝送用コネクタ及び平衡伝送用コネクタ付きケーブルに適用できる。
【図面の簡単な説明】
【００５４】
【図１】従来技術である平衡伝送用コネクタ付きケーブルの平面図である。
【図２】図１に示した平衡伝送用コネクタ付きケーブルの裏面側を示した図である。
【図３】本発明の第１実施例による平衡伝送用コネクタ付きケーブルの平面図である。
【図４】第１実施例による平衡伝送用コネクタ付きケーブルの裏側を示した図である。
【図５】図３に示した平衡伝送用コネクタ付きケーブルをＦ視した図である。
【図６】チップ抵抗及びチップコンデンサが実装される前の中継基板の表面を示した図である。
【図７】本実施例のＣＲ型イコライザ回路の回路図である。
【図８】本発明の第２実施例による平衡伝送用コネクタ付きケーブルの平面図である。
【図９】第２実施例による平衡伝送用コネクタ付きケーブルの裏側を示した図である。
【図１０】各種チップが実装される前の中継基板の表面を示した図である。
【図１１】各種チップが実装される前の中継基板の裏面を示した図である。
【図１２】図１０中に示した中継基板のＥ―Ｅ線方向の断面図である。
【図１３】本実施例のＬＣＲ型イコライザ回路の回路図である。
【符号の説明】
【００５５】
１０，５０，１２０  平衡伝送用コネクタ付きケーブル
１１Ａ，１１Ｂ，５１Ａ，５１Ｂ  平衡伝送用コネクタ本体
１２Ａ，１２Ｂ，５３Ａ，５３Ｂ  グランドコンタクト
１３Ａ，１３Ｂ，１５Ａ，１５Ｂ，５４Ａ，５４Ｂ，５６Ａ，５６Ｂ  信号用コンタクト
２０Ａ，２０Ｂ，６０Ａ，６０Ｂ，１２５Ａ，１２５Ｂ  中継基板
２１Ａ，２１Ｂ，２４Ａ，２４Ｂ，６２Ａ，６２Ｂ，７２Ａ，７２Ｂ  グランドパッド
２２Ａ，２２Ｂ，２５Ａ，２５Ｂ  配線パターン
３０，８０  平衡伝送用ケーブル
３１，８１  ドレイン線
３２，８２  プラス用信号線
３３，８３  マイナス用信号線
４０Ａ，４０Ｂ，４５Ａ，４５Ｂ，１５０Ａ，１５０Ｂ  平衡伝送用コネクタ
６１Ａ，６１Ｂ  基板本体
６３Ａ，６３Ｂ，７３Ａ，７３Ｂ，１３０Ａ，１３０Ｂ，１４０Ａ，１４０Ｂ  受信用配線パターン
６３−１Ａ，６３−１Ｂ，７３−１Ａ，７３−１Ｂ  コネクタ側配線部
６３−２Ａ，６３−２Ｂ，７３−２Ａ，７３−２Ｂ  ケーブル側配線部
６４Ａ，６４Ｂ，７４Ａ，７４Ｂ  絶縁部
６５Ａ，６５Ｂ，７５Ａ，７５Ｂ，１３７Ａ，１３７Ｂ  チップ抵抗
６６Ａ，６６Ｂ，７６Ａ，７６Ｂ  チップコンデンサ
６７Ａ，６７Ｂ，７７Ａ，７７Ｂ  送信用配線パターン
８５Ａ  配線切断領域
８７Ａ，８９Ａ，１４５，１４６，１４８，１４９  接続部
１００Ａ，１１０Ａ  ＣＲ型イコライザ回路
１２６Ａ  ＬＣＲ型イコライザ回路
１２７Ａ，１２７Ｂ  チップインダクタンス
１２８Ａ，１２８Ｂ  スルーホール電極
１３１Ａ，１３１Ｂ  第１の分岐配線
１４１Ａ，１４１Ｂ  第２の分岐配線
１４２−１Ａ，１４２−１Ｂ，１５２−１Ａ，１５２−１Ｂ  分岐配線部
１４２−２Ａ，１４２−２Ｂ，１５２−２Ａ，１５２−２Ｂ  電極接続用配線部
１７０Ａ  第１の配線切断領域
１７１Ａ  第２の配線切断領域
Ｃ１，Ｃ２，Ｄ１，Ｄ２  領域
Ｌ１，Ｌ２  長さ
Ｗ１〜Ｗ４  幅
【図１】
2005235516.tif 000003
【図２】
2005235516.tif 000004
【図３】
2005235516.tif 000005
【図４】
2005235516.tif 000006
【図５】
2005235516.tif 000007
【図６】
2005235516.tif 000008
【図７】
2005235516.tif 000009
【図８】
2005235516.tif 000010
【図９】
2005235516.tif 000011
【図１０】
2005235516.tif 000012
【図１１】
2005235516.tif 000013
【図１２】
2005235516.tif 000014
【図１３】
2005235516.tif 000015